(57)【要約】【課題】ディスプレイ台を大幅に設計変更することなくディスプレイ台に展示された商品見本が空中に浮かんでいるように展示することが可能であり、加えてカード状表示部材を装着可能な自動販売機の商品見本展示装置を提供する。【解決手段】外扉に形成されたディスプレイ室内に配設され、複数の商品見本を展示する商品載置台２および左右一対のブラケット３，３からなるディスプレイ台１を備えた自動販売機の商品見本展示装置であって、商品載置台２は、その上面のステージ２１に商品見本８０を嵌合保持する嵌合部２４を形成するフレーム２５を備え、このフレーム２５の前方の開放された空白域を覆う光透過性材料からなるプレート６を設け、当該プレートは前記フレームの外縁との間にカード状表示部材を装着する隙間ＧＰを形成してなり、商品見本を前記嵌合部２４に嵌合保持させるとフレーム２５が商品見本に隠れて商品見本が浮遊しているように展示し、また、カード状表示部材８２を隙間ＧＰに装着して展示可能とする。【選択図】図５
2014085850.tif 000002
【特許請求の範囲】
【請求項１】
本体キャビネットの前面を開閉する外扉に形成されたディスプレイ室内に配設され、複数の商品見本を展示する商品載置台および前記商品載置台を保持する左右一対のブラケットからなるディスプレイ台を備えた自動販売機の商品見本展示装置において、ディスプレイ台を構成する商品載置台は、その上面のステージに商品見本を嵌合保持する嵌合部を形成するフレームを備え、当該フレームの前方の開放された空白域を覆う光透過性材料からなるプレートを設け、当該プレートは前記フレームの外縁との間にカード状表示部材を装着する隙間を形成してなることを特徴とする自動販売機の商品見本展示装置。
【請求項２】
請求項１に係る自動販売機の商品見本展示装置において、請求項１に係る自動販売機の商品見本展示装置において、隙間を形成するフレームの外縁若しくはプレートの少なくとも一方にカード状表示部材を保持する保持部を有することを特徴とする自動販売機の商品見本展示装置。
【請求項３】
本体キャビネットの前面を開閉する外扉に形成されたディスプレイ室内に配設され、複数の商品見本を展示する商品載置台および前記商品載置台を保持する左右一対のブラケットからなるディスプレイ台を備えた自動販売機の商品見本展示装置において、ディスプレイ台を構成する商品載置台は、その上面のステージに商品見本を嵌合保持する嵌合部を形成するフレームを備え、当該フレームの前方の開放された空白域を覆う光透過性材料からなるプレートを設け、当該プレートはフレームの前方域においてカード状表示部材を保持する保持溝を有することを特徴とする自動販売機の商品見本展示装置。
【発明の詳細な説明】
【技術分野】
【０００１】
この発明は、自動販売機における本体キャビネットの商品収納庫内に缶入り飲料，ペットボトル入り飲料などの商品をコールド，ホット状態に区分して保存し、外扉のディスプレイ室内に設置したディスプレイ台上に複数の商品見本を左右に並べて展示した自動販売機の商品見本展示装置に関するものである。
【背景技術】
【０００２】
この種の従来の自動販売機の商品見本展示装置について図９を用いて説明する。図９は一般的な缶入り飲料，ペットボトル入り飲料を販売する自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の商品収納庫内には、断熱仕切壁により左右方向に複数の商品収納室に区分され、各商品収納室には商品を横倒し状態で収納するとともに下端部に商品搬出機構を有する商品収納ラックが収設され、また、各商品収納室の下端には、当該各商品収納室を冷却若しくは加熱して商品収納ラックに収納した商品をコールド，ホット状態に保存する冷却／加熱ユニットが配設されている。本体キャビネット１０の下部は機械室として形成され、冷却／加熱ユニットの冷却ユニットと冷媒配管を介して接続される圧縮機，凝縮器などの冷凍機コンデンシングユニットが配設されている。
【０００３】
前記外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の商品収納庫内に収納した商品に対応した複数の商品見本８０を左右に一列に並べて載置したディスプレイ台７０が上下方向に３段並べて取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン９０１を有している。前記外扉２０の前面には、硬貨投入口２０１、紙幣挿入口２０２、返却レバー２０３、ロック付ハンドル２０４、硬貨返却口２０５、および商品取出口２０６などが設けられ、前記外扉２０の前面には、前記硬貨投入口２０１に連通する硬貨識別装置２０７、前記紙幣挿入口２０２に連通する紙幣識別装置２０８などが設けられている。
【０００４】
前記ディスプレイ台７０は、良く知られているように、中扉６０に固定された左右一対のブラケットと、この左右一対のブラケットに着脱自在に装着される商品載置台とからなる。前記商品載置台は、縦断面略コ字形で下方が開放した横長箱状体の内部に蛍光灯などの照明光源が設けられ、その上面壁には商品見本８０を嵌合保持する開口した嵌合部が左右方向に複数並設されている（例えば、特許文献１）。
【０００５】
前記商品見本８０は光透過材料により形成された中空状の本体部に商品のデザインが施されるとともに当該本体部の底面に光導入部が設けられている。前記商品見本８０は前記ディスプレイ台７０の商品載置台に形成した嵌合部に嵌合保持され、ディスプレイ台７０の内部に設けた照明光源からの光がディスプレイ台７０の開口した嵌合部と商品見本８０の底部に形成した光導入部とを通して本体部の内部に照射されることにより恰も発光しているように展示される。前記商品見本８０は立体、具体的には、缶，瓶，ペットボトルなどの容器形状に一致させた中空状の本体部を備えた立体状の商品見本や、前記中空状の本体部を縦方向に半分に切断した半割り状の商品見本などが一般的である。
【先行技術文献】
【特許文献】
【０００６】
【特許文献１】特許第３６４４３０１号公報
【発明の概要】
【発明が解決しようとする課題】
【０００７】
上記特許文献１に記載された自動販売機の商品見本展示装置においては、前記ディスプレイ台７０の商品載置台に形成した嵌合部に嵌合保持された商品見本８０が、ディスプレイ台７０の内部に設けた照明光源からの光によりその内部から照射されることにより恰も発光しているように展示される点で優れている。しかしながら、商品見本８０を展示するディスプレイ台７０はディスプレイ室５０に露出していることから、利用者が商品見本８０を見て購入商品を選択する場合に利用者の目に留まることとなる。この場合、見栄えを良くするためにディスプレイ台７０の商品展示台が白色塗料により塗装されているとはいえ、ディスプレイ室５０に占めるディスプレイ台７０の商品載置台の割合が比較的大きいことからディスプレイ台７０の商品載置台自体が目立ってしまい商品見本８０が霞んでしまうという問題を有する。この問題を解決するため、ディスプレイ台７０を透明な合成樹脂成形品とすることが考えられるが、この場合にはディスプレイ台を大幅に設計変更せねばならないとともに成形のための金型費が嵩むという問題を有する。
【０００８】
そこで、本発明は上記の点に鑑みなされたものであり、第一の目的は前記課題を解決し、ディスプレイ台を大幅に設計変更することなくディスプレイ台に展示された商品見本が空中に浮かんでいるように展示することが可能であり、加えてカード状表示部材を装着可能な自動販売機の商品見本展示装置を提供することにある。
【課題を解決するための手段】
【０００９】
上記目的を達成するため請求項１に係る発明は、本体キャビネットの前面を開閉する外扉に形成されたディスプレイ室内に配設され、複数の商品見本を展示する商品載置台および前記商品載置台を保持する左右一対のブラケットからなるディスプレイ台を備えた自動販売機の商品見本展示装置において、ディスプレイ台を構成する商品載置台は、その上面のステージに商品見本を嵌合保持する嵌合部を形成するフレームを備え、当該フレームの前方の開放された空白域を覆う光透過性材料からなるプレートを設け、当該プレートは前記フレームの外縁との間にカード状表示部材を装着する隙間を形成してなることを特徴とする。
【００１０】
また、上記目的を達成するため請求項２に係る発明は、請求項１に係る自動販売機の商品見本展示装置において、隙間を形成するフレームの外縁若しくはプレートの少なくとも一方にカード状表示部材を保持する保持部を有することを特徴とする。
【００１１】
また、上記目的を達成するため請求項３に係る発明は、本体キャビネットの前面を開閉する外扉に形成されたディスプレイ室内に配設され、複数の商品見本を展示する商品載置台および前記商品載置台を保持する左右一対のブラケットからなるディスプレイ台を備えた自動販売機の商品見本展示装置において、ディスプレイ台を構成する商品載置台は、その上面のステージに商品見本を嵌合保持する嵌合部を形成するフレームを備え、当該フレームの前方の開放された空白域を覆う光透過性材料からなるプレートを設け、当該プレートはフレームの前方域においてカード状表示部材を保持する保持溝を有することを特徴とする。
【発明の効果】
【００１２】
本発明の請求項１に係る自動販売機の商品見本展示装置によれば、本体キャビネットの前面を開閉する外扉に形成されたディスプレイ室内に配設され、複数の商品見本を展示する商品載置台および前記商品載置台を保持する左右一対のブラケットからなるディスプレイ台を備えた自動販売機の商品見本展示装置において、ディスプレイ台を構成する商品載置台は、その上面のステージに商品見本を嵌合保持する嵌合部を形成するフレームを備え、当該フレームの前方の開放された空間域を覆う光透過性材料からなるプレートを設け、当該プレートは前記フレームの外縁との間にカード状表示部材を装着する隙間を形成してなることにより、ディスプレイ台を構成する商品載置台の嵌合部に商品見本を嵌合保持させた場合、前記嵌合部を形成するフレームは商品見本に隠れてディスプレイ室内に露出することがない、つまり、利用者が商品見本を見て購入商品を選択する場合にも利用者の目に留まることがないので、従来のように商品載置台によって商品見本が霞んでしまうということを防止することができ、また、ディスプレイ台を構成する商品載置台は、その上面のステージに商品見本を嵌合保持する嵌合部を形成するフレームを備え、当該フレームの前方の開放された空間域を覆う光透過性材料からなるプレートを設けるという、従来のディスプレイ台の商品載置台に対して僅かの設計変更のみで恰も商品見本が空中に浮かんでいるように展示することが可能で、かつ、プレートを有色、例えば、販売商品のキャラクターの色，販売商品をイメージした色とすることによってディスプレイ室内を光により演出することが可能となる。さらに、前記プレートは前記フレームの外縁との間にカード状表示部材を装着する隙間を形成してなることにより、カード状表示部材、例えば、カード状の商品見本、カード状の訴求表示部材を装着することが可能である。
【００１３】
また、請求項２に係る発明によれば、請求項１に係る自動販売機の商品見本展示装置において、隙間を形成するフレームの外縁若しくはプレートの少なくとも一方にカード状表示部材を保持する保持部を有することにより、ディスプレイ台に装着されたカード状表示部材を安定して保持することができる。
【００１４】
さらに、請求項３に係る発明によれば、本体キャビネットの前面を開閉する外扉に形成されたディスプレイ室内に配設され、複数の商品見本を展示する商品載置台および前記商品載置台を保持する左右一対のブラケットからなるディスプレイ台を備えた自動販売機の商品見本展示装置において、ディスプレイ台を構成する商品載置台は、その上面のステージに商品見本を嵌合保持する嵌合部を形成するフレームを備え、当該フレームの前方の開放された空間域を覆う光透過性材料からなるプレートを設け、当該プレートはフレームの前方域においてカード状表示部材を保持する保持溝を有することにより、請求項１に係る発明と同様の効果を有するとともに、プレートはフレームの前方域においてカード状表示部材を保持する保持溝を有することにより、商品載置台のフレームの形状に左右されずにカード状表示部材に最適な保持溝として形成することができる。
【図面の簡単な説明】
【００１５】
【図１】本発明の実施の形態１に係る自動販売機の商品見本展示装置の要部斜視図である。
【図２】図１に示したディスプレイ台の分解斜視図である。
【図３】ディスプレイ台の組立て状態を示し、（ａ）は商品載置台を商品展示位置にセットした状態の側面図、（ｂ）は商品載置台をメンテナンス位置に移動させた状態の側面図である。
【図４】図２に示したホルダーの取付状態を示し、（ａ）はホルダーを取付金具に取り付けた状態の側面図、（ｂ）は（ａ）の分解図である。
【図５】図１に示したディスプレイ台を示し、（ａ）はディスプレイ台の斜視図、（ｂ）は（ａ）の拡大平面図である。
【図６】本発明の実施の形態２に係る自動販売機の商品見本展示装置の要部斜視図である。
【図７】図６のディスプレイ台の分解図である。
【図８】図７の一つのプレートを示し、（ａ）はその平面図、（ｂ）は（ａ）の拡大平面図である。
【図９】本発明が対象とする自動販売機の一例を示し、（ａ）はその正面図、（ｂ）は外扉を開放した状態の斜視図である。
【発明を実施するための形態】
【００１６】
以下、本発明の実施の形態に係る自動販売機の商品見本展示装置について添付図面を参照して説明する。ここで、本発明の実施の形態に係る自動販売機の商品見本展示装置が従来装置と相違する点は特にディスプレイ台の周辺であるので、ここでは従来装置と相違するディスプレイ台の周辺について説明することとし、また、自動販売機の全体構成は図９に示したものと同一であるので適宜図９を参照しつつ説明を行う。
【００１７】
（実施の形態１）
図１において、１は本発明に係るディスプレイ台であり、商品載置台２およびブラケット３からなる。４は冷温情報，価格情報が表示された商品情報表示部材であり、この実施の形態では後述するようにディスプレイ台１（商品載置台２）から分離されている。５は前記商品情報表示部材４が装着されるホルダーである。このホルダー５は、商品選択ボタン９０１を有する商品選択ボタンユニット９０を構成する取付金具９１（図４にて詳述する）に取り付けられている。６はディスプレイ台１に組み付けられたプレートである。
【００１８】
前記ディスプレイ台１は、図２の分解図から分かるように、横長の商品載置台２および左右一対のブラケット３，３とからなり、これらの商品載置台２および左右一対のブラケット３，３はそれぞれ薄板鋼板製になる。前記商品載置台２は、上面を形成するステージ２１と、当該ステージ２１の左右端縁に連なる左右側壁２２，２２と、前記ステージ２１の後縁から立ち上がる複数の取付片２３とからなる。前記商品載置台２のステージ２１には、商品見本８０が嵌合係止される複数、この実施の形態１では１２個からなる略円形状の嵌合部２４を形成するフレーム２５が形成されている。このフレーム２５にはその前方側外縁から下方に延在する保持部２５１が形成されている。この保持部２５１の下端は前方に折り返してＵ字状に形成され、図１に示したカード状表示部材８２の下端を保持するものである。前記複数のフレーム２５の後方域は一体的に連結されたステージ平面として形成されるとともに塵埃が溜まるのを防止する抜き穴２１１が形成される一方、複数のフレーム２５のそれぞれ前方域はフレーム２５の外縁を残して切り落とされて開放された空白域として形成されている。また、ステージ２１の左右両端には側壁２２，２２に連なる係合板部２６，２６が設けられ、当該係合板部２６，２６には下方に押し出し形成されたストッパ２６１およびクランプ（ナイロンリベットなど）ＣＰの挿通孔２６２が形成されている。
【００１９】
前記商品載置台２の左右側壁２２，２２にはそれぞれ内側に向って突出する支持軸２２１が従来と同様に設けられている。この支持軸２２１は、図３の（ａ）も参照すると理解できるように、横断面Ｄ字状に形成されてＤ字の直線部分が水平面として上方に位置するように左右側壁２２，２２に固着されている。また、左右側壁２２，２２の前縁には内方に向うストッパ片２２２，２２２が突出形成されている。前記ステージ２１の後縁から立ち上がる複数の取付片２３は、中身飲料を抜いた実物の商品（例えば、円柱形状の実缶）を両腕で抱え込むように保持する保持具（不図示）を取り付けるものである。前記取付片２３および当該取付片２３に取り付けられる保持具は、例えば、特開平１０−７９０７８号公報に記載されて公知のものであり、商品見本のみを展示する場合には無くても良いものである。
【００２０】
前記商品載置台２とともにディスプレイ台１を構成する左右一対のブラケット３，３は商品載置台２を支持する腕木として機能するものである。この左右一対のブラケット３，３は左右対称に形成されているので、ここでは図の右側のブラケット３について説明し、適宜左側のブラケット３を参照しつつ説明する。
【００２１】
前記ブラケット３には、その板面に前記商品載置台２の左右側壁２２，２２に形成された支持軸２２１を嵌合支持する異形溝３１（図３も参照）が形成され、また、ブラケット３の上縁には内側を向くように突出した係止片３２が折り曲げて形成され、さらにブラケット３の後縁には内側を向く背板３３（左側のブラケット３を参照）が折り曲げて形成され、当該背板３３には背面側に突出するとともに下方に延在した係合爪３３１（図３参照）が切り起こしにより形成されている。前記異形溝３１は、図３を参照すると理解できるように、前記支持軸２２１を回転可能に支える前半域の円弧状溝部３１１と、前記円弧状溝部３１１に連ねて後半域に形成され、前記支持軸２２１の移動を拘束して商品載置台２を展示位置に保持するスライド溝部３１２と、前記円弧状溝部３１１とスライド溝部３１２との中間位置からブラケット３の上縁に切欠き開口した挿脱溝部３１３とを組み合わせて形成されている。前記円弧状溝部３１１は支持軸２２１より一回り大きな円弧状に形成され、また、前記スライド溝部３１２の高さ寸法ｈは支持軸２２１の高さｒよりも僅かに大きな寸法に定められている。なお、ブラケット３の前縁下部に前方に突出するとともに内側に折り曲げて形成した保護片３４にはナイロンリベット３４１（図３参照）が取り付けられている。
【００２２】
前記ディスプレイ台１に組み付けられるプレート６は、横長のガラス若しくはプラスチック成形品になり、商品載置台２のステージ２１に形成されたフレーム２５の前方の開放された空白域を覆うものである。また、このプレート６は、前端が直線状に形成される一方、後端がフレーム２５沿って波形に形成されるとともにそれぞれのフレーム２５の外縁に沿う態様でフレーム２５との間に隙間ＧＰ（図５参照）が形成されるように構成されている。前記間隙ＧＰは前方に凸の湾曲状に形成され、図１，図５に示したカード状表示部材８２の厚み寸法より僅かに大きな寸法に形成されている。また、前記プレート６の左右端部および後端にはクランプＣＬの係止孔６１が形成されている。前記プレート６は商品載置台２におけるステージ２１の下面に挿入、すなわち、前記商品載置台２におけるステージ２１の左右両端に形成した係合板部２６，２６と、左右側壁２２，２２の前縁に形成した内方に向うストッパ片２２２，２２２との間からステージ２１の下面に挿入される。そして、プレート６の左右端部および後端に形成した係止孔６１に、前記ステージ２１の左右両端の係合板部２６，２６に形成した挿通孔２６２およびステージ２１の後端に形成した挿通孔（参照符号省略）を介してクランプＣＬを差し込むことによってプレート６が商品載置台２に一体化される。前記プレート６は透明であっても良いが、プレート６を有色、例えば、販売商品をイメージした色，販売商品のキャラクターの色、若しくは商品見本８０の冷温情報に一致した暖色系，寒色系の色に着色されたものとすることもできる。
【００２３】
次に、図２に示すディスプレイ台１の組立てについて図３をも参照しつつ説明すると、まず、左右一対のブラケット３，３をディスプレイ室の中扉６０（図９参照）に取付ける。このブラケット３，３の中扉６０への取付けは、ブラケット３，３の後端面に切り起しにより形成された係合爪３３１を中扉６０の所定位置に設けた角穴に挿入係止させる。これによりブラケット３，３が中扉６０の所定位置に固定される。次いで、中扉６０に固着された左右一対のブラケット３，３に対して、プレート６が一体化された商品載置台２を、左右一対のブラケット３，３の上方から被せるように装着する。この場合、商品載置台２の左右側壁２２，２２に内側に向けて突出する支持軸２２１をブラケット３，３の挿脱溝部３１３に対峙させた上で、商品載置台２をブラケット３，３に被せる。そして、商品載置台２のステージ２１の内壁がブラケット３，３の上縁に当接すると、支持軸２２１がブラケット３，３の異形溝３１に嵌合した状態で商品載置台２がブラケット３，３に一体化される。この状態で商品載置台２を後方（中扉６０側）にスライドさせると、支持軸２２１が異形溝３１のスライド溝部３１２に移動し、前記支持軸２２１における水平面がスライド溝部３１２の平坦な上縁に対峙する。前記商品載置台２を後方にスライドさせる途中において、商品載置台２のステージ２１の両端の係合板部２６に形成されたストッパ２６１がブラケット３，３の上縁に内側を向くように形成された係止片３２を乗り越える。そして、商品載置台２の後端が中扉６０に当接するまでスライドさせると商品載置台２の係合板部２６に形成されたストッパ２６１がブラケット３，３の係止片３２，３２の後方側に落とし込まれる。この場合、前記商品載置台２のステージ２１（の内壁）がそれぞれの係止片３２，３２を乗り越えることができるように、支持軸２２１の水平面とスライド溝部３１２の平坦な上縁との間には遊びが形成されているものである。前記商品載置台２の係合板部２６に形成されたストッパ２６１がブラケット３，３の係止片３２，３２の後方に落し込まれると前記商品載置台２の支持軸２２１が異形溝３１のスライド溝部３１２に移動した状態、つまり、商品載置台２が商品展示位置にセットされた状態（図３の（ａ））であり、組立てた状態のディスプレイ台１を図５に示す。また、図１は前述のように商品載置台２が商品展示位置にセットされた状態を示している。図１からも分かるように、商品載置台２のフレーム２５は商品見本８０に隠れて見えず、そして、前記商品載置台２のステージ２１における複数のフレーム２５のそれぞれ前方域がフレーム２５の前縁を残して切り落とされて開放（空白として形成）されていることから商品見本８０は空中に浮かんでいるように展示されるものである。
【００２４】
図３の（ａ）に示すように商品載置台２を商品展示位置にセットした状態から商品載置台２を若干持ち上げる、つまり商品載置台２の係合板部２６に形成されたストッパ２６１がブラケット３，３の上縁に内側を向くように形成された係止片３２，３２に引っ掛からないように上方に持ち上げたうえで商品載置台２を前方にスライド移動させると、商品載置台２の左右側壁２２，２２に形成した支持軸２２１がブラケット３，３の異形溝３１における後半域のスライド溝部３１２から前半域の円弧状溝部３１１に移動する。前記支持軸２２１が円弧状溝部３１１に達すると商品載置台２の前方への移動が阻止されるので、支持軸２２１が円弧状溝部３１１、つまり、メンテナンス位置に到達したことを知ることができる。そこで、商品載置台２を、前記支持軸２２１を支点として前方側に回動させると商品載置台２がメンテナンス位置で前傾するように傾倒し始める。そして、商品載置台２の左右側壁２２，２２に形成したストッパ片２２２，２２２（図２参照）がブラケット３，３の保護片３４に取り付けたナイロンリベット３４１に当接すると商品載置台２は前傾姿勢に傾倒した状態に保持される（図３の（ｂ）参照）。
【００２５】
図３の（ｂ）に示すように、商品載置台２を前傾姿勢に傾倒した状態で、中扉６０の拭き作業や商品載置台２のステージ２１に溜まった塵埃を払い落とす清掃作業、若しくは商品載置台２に展示された商品見本８０の交換などのメンテナンス作業が行われる。この場合、商品載置台２は中扉６０から離れており、また、前傾姿勢に傾倒していることから、そのメンテナンス作業を簡単に行うことができる。清掃や商品見本８０の交換などメンテナンス作業を完了した後は商品載置台２を元の位置に戻す。この作業は前記と逆の手順、つまり、商品載置台２を、支持軸２２１を支点として商品見本８０が起立状態となるように回動させた上で、中扉６０に向けてスライド移動させる。そして、支持軸２２１をブラケット３，３の異形溝３１におけるスライド溝部３１２に嵌合させて商品載置台２を商品見本８０の商品展示位置にセットする。
【００２６】
さて、前記ディスプレイ台１（商品載置台２）から分離された商品情報表示部材４は、図２に示すように左右に二分割されている。この商品情報表示部材４は乳白色（光透過性）のポリカーボネート樹脂により横長帯状に形成されるとともにディスプレイ台１に展示される商品見本８０に対応する冷温情報４１と価格情報４２が横並びに表示された表示領域が上下に区分され、当該上下の表示領域にそれぞれ異なる冷温情報４１と価格情報４２を互いに逆さにして表示してなる。この実施の形態では、右側の商品情報表示部材４の上部の表示領域には「ＨＯＴ」の文字が、そして、下部の表示領域には「ＣＯＬＤ」の文字が互いに逆さまに表示され、左側の商品情報表示部材４の上部の表示領域には「ＣＯＬＤ」の文字が、そして、下部の表示領域には「ＨＯＴ」（図ではホルダー５に隠れて見えない）の文字が互いに逆さまに表示されている。なお、図には明示されていないが、冷温情報４１は、商品のホット状態を表すパターンとして暖色（赤色）の背景色に白抜きの「ＨＯＴ」の文字が施され、商品のコールド状態を表すパターンとして寒色（青色）の背景色に白抜きの「ＣＯＬＤ」の文字が施されているものである。前記冷温情報４１と横並びに表示された価格情報（￥１２０）は白色の背景色に黒色にて印刷されている。なお、４３は隣接する商品情報（冷温情報４１，価格情報４２）との間の上下縁部に形成された凹状の係合溝であり、後述するホルダー５の係止爪５４に係合するものである。
【００２７】
前記商品情報表示部材４が装着されるホルダー５は横長の薄板鋼板製になり、横断面Ｕ字状の保持部５１（図４も参照）が形成されている。この保持部５１の溝幅は、横長帯状の商品情報表示部材４の板厚よりも若干大きく形成されている。前記ホルダー５には保持部５１における前壁の上端から前方に向う庇部５２が形成され、この庇部５２の前縁には３個の係止爪５２１が折り曲げにより下方に向けて形成されている。前記保持部５１の後壁の上端は折返しによりダブルホールドされている。また、前記保持部５１の後壁には切り起こしにより形成された固定片５３が設けられ、この固定片５３にはねじ挿通穴５３１が形成されている。なお、ホルダー５の保持部５１における溝下部には当該溝底の切り起こしにより係止爪５４（図２では保持部５１の下部を円弧状に切り欠いたように見える箇所であり、引出し線を点線で示している）が形成され、この係止爪５４に前述した商品情報表示部材４の上下縁部に形成した係合溝４３が係合することにより商品情報表示部材４が左右方向に移動するのを防止している。
【００２８】
上記構成になるホルダー５は、図４（商品選択ボタンユニット９０を構成する取付金具９１にホルダー５を取り付けた状態の側面断面図）に示すように、商品選択ボタンユニット９０を構成する取付金具９１に取り付けられている。ここで、前記ホルダー５の取り付けに先立ち商品選択ボタンユニット９０について説明すると、この商品選択ボタンユニット９０は、周知のように、商品選択ボタン９０１を組み込んだ樹脂成形品としてなる断面半月状の釦ケース９００に覆われた不図示のベース基板にプリント基板が固定され、このプリント基板には商品選択ボタン９０１により作動するスイッチ素子，販売可能表示用／売切表示用の発光ダイオード，入出力制御用ＩＣ，外部接続用コネクタなどの各種部品が実装されている。前記プリント基板の外部接続用コネクタは背面側に突出しており、前記ベース基板に背面側に突出して形成されたボスに囲繞されており、取付金具９１の背後から制御信号伝送用ハーネスのカプラが接続されるように構成されている。さらに、ベース基板には背面側に突出するとともにインサートナットが埋設されたボスを備え、取付金具９１の背後からねじＳ１を前記ボス内に埋設されたインサートナットに螺合させることにより商品選択ボタンユニット９０が透明板４０に取り付けられる。なお、透明板４０および取付金具９１には前記ベース基板の背後の突出するボスが貫通する貫通穴が形成されているものである。
【００２９】
前記商品選択ボタンユニット９０の取付金具９１は、上部フランジ９１１と下部フランジ９１２を有する略Ｃ字状に形成され、前記下フランジ９１２内には制御信号伝送用ハーネスが引き回されるように構成されているのは周知のとおりである。この実施の形態の取付金具９１は、上フランジ９１１に前述したホルダー５の係止爪５２１が係合する係合孔（不図示）が形成され、下フランジ９１２に前記ホルダー５の固定片５３が当接するストッパ片９１２ａが設けられ、このストッパ片９１２ａにねじ穴（不図示）がタップされている。
【００３０】
前記ホルダー５の商品選択ボタンユニット９０を構成する取付金具９１への取り付けは、ホルダー５の庇部５２の前縁に形成された係止爪５２１を取付金具９１における上フランジ９１１に形成した係合孔（不図示）に嵌め込んだ後、ホルダー５の固定片５３を下フランジ９１２のストッパ片９１２ａに当接させたうえで固定片５３に形成したねじ挿通孔５３１を介してねじＳ２をストッパ片９１２ａに形成したねじ穴に螺合させる。これによりホルダー５が商品選択ボタンユニット９０の取付金具９１に取り付けられる。このように、商品選択ボタンユニット９０の取付金具９１に取り付けられたホルダー５の横断面Ｕ字状の保持部５１に前述した商品情報表示部材４が装着される。前記ホルダー５の保持部５１に商品情報表示部材４を装着すると、商品情報表示部材４に上下に区分された表示領域のうちの下方の表示領域が保持部５１に隠れる一方、上方の表示領域がホルダー５の保持部５１の上方に露出して前面側に表示される。
【００３１】
なお、ディスプレイ台１（商品展示台２）の内部には、照明光源としてのＬＥＤユニット（不図示）が配設され、当該ＬＥＤユニットの白色ＬＥＤからの光が商品載置台２のステージ２１に形成した嵌合部２４を介して上方側の商品見本８０の内部に照射されるとともに商品載置台２のフレーム２５の前方域を覆うプレート６に照射され、また、下方側の商品見本８０にも照射されるように構成されているものである。
【００３２】
ここで、図１および図５に示したカード状表示部材８２は、可撓性の薄いプラスチックシートに商品の外観意匠を印刷した矩形平板状の透明若しくは半透明のシートからなるシート状の商品見本、若しくは可撓性の薄い透明なプラスチックシートに新発売の商品を表す文字やキャッチフレーズなどの広告を表示した訴求表示部材からなる。このカード状表示部材８２は、図５に示すように、商品載置台２のステージ２１に形成されたフレーム２５の外縁と当該フレーム２５の前方の開放された空白域を覆うプレート６との間形成された隙間ＧＰに装着される。前記隙間ＧＰに装着されたカード状表示部材８２はフレーム２５に形成した保持部２５１（図２も参照）に保持され、下方に落下することはない。また、前記隙間ＧＰに装着されたカード状表示部材８２は、前記隙間ＧＰが前方に凸の湾曲形状をなしていることによりカード状表示部材８２は自立し、起立した姿勢が維持される。前記隙間ＧＰはカード状表示部材８２を装着しない場合には塵埃を落下させる抜き穴としても機能するものである。
【００３３】
なお、上記説明では隙間ＧＰに装着されたカード状表示部材８２を保持するためにフレーム２５に保持部２５１を形成したものについて述べたが、前記保持部２５１の代わりにプレート６の後縁に同様な保持部を形成することもできる。また、商品情報表示部材４は左右に二分割されたものについて説明したが、例えば、個々の商品見本８０に対応する個別のものとすることもでき、さらに、冷温情報４１と価格情報４２が横並びに表示された商品情報表示部材４を用いたものについて説明したが、従来と同様に冷温情報が表示された冷温情報表示部材と価格情報が表示された価格情報表示部材とを設け、これらの冷温情報表示部材および価格情報表示部材を前後に重ね合わせるものであっても良いものである。
【００３４】
前述した本発明の実施の形態１に係る自動販売機の商品見本展示装置によれば、本体キャビネット１０の前面を開閉する外扉２０に形成されたディスプレイ室５０内に配設され、複数の商品見本８０を展示する商品載置台２および前記商品載置台２を保持する左右一対のブラケット３，３からなるディスプレイ台１を備えた自動販売機の商品見本展示装置において、ディスプレイ台１を構成する商品載置台２は、その上面のステージ２１に商品見本８０を嵌合保持する嵌合部２４を形成するフレーム２５を備え、当該フレーム２５の前方の開放された空間域を覆う光透過性材料からなるプレート６を設け、当該プレート６は前記フレーム２５の外縁との間にカード状表示部材８２を装着する隙間ＧＰを形成してなることにより、ディスプレイ台１を構成する商品載置台２の嵌合部２４に商品見本８０を嵌合保持させた場合、前記嵌合部２４を形成するフレーム２５は商品見本８０に隠れてディスプレイ室５０内に露出することがない、つまり、利用者が商品見本８０を見て購入商品を選択する場合にも利用者の目に留まることがないので、従来のように商品載置台２によって商品見本８０が霞んでしまうということを防止することができ、また、ディスプレイ台１を構成する商品載置台２は、その上面のステージ２１に商品見本８０を嵌合保持する嵌合部２４を形成するフレーム２５を備え、当該フレーム２５の前方の開放された空間域を覆う光透過性材料からなるプレート６を設けるという、従来のディスプレイ台の商品載置台に対して僅かの設計変更のみで恰も商品見本８０が空中に浮かんでいるように展示することが可能である。さらに加えてプレート６を有色、例えば、販売商品のキャラクターの色，販売商品をイメージした色とすることによってディスプレイ室５０内を光により演出することが可能となり、プレート６を商品見本８０の冷温情報に一致した暖色系，寒色系の色とすることによりホット，コールド状態を表示することも可能である。さらに、前記プレート６は前記フレーム２５の外縁との間にカード状表示部材８２を装着する隙間ＧＰを形成してなることにより、カード状表示部材８２、例えば、カード状の商品見本、カード状の訴求表示部材を装着することが可能であるという利点を有する。
【００３５】
（実施の形態２）
図６乃至図８は、本発明の実施の形態２に係る自動販売機の商品見本展示装置を示す。この実施の形態２に係る自動販売機の商品見本展示装置が実施の形態１に係る自動販売機の商品見本展示装置の相違する点は、商品載置台２Ａのステージ２１Ａに形成されたフレーム２５Ａ、およびプレート６Ａの構成であり、左右一対のブラケット３，３を含むその他の構成については同一であるので、同一の符号を付して重複する説明について省略する。
【００３６】
図６および図７に示すように、商品載置台２Ａのステージ２１Ａに形成されたフレーム２５Ａは、実施の形態１ではフレーム２５に形成されていた保持部２５１が削除されている。また、商品載置台２Ａのステージ２１Ａに形成された嵌合部２４Ａは半円状をなしている。そして、商品載置台２Ａのステージ２１Ａに形成されたフレーム２５Ａの前方の開放された空白域を覆うプレート６Ａは、左右に２分割されるとともにそれぞれのプレート６Ａにはフレーム２５Ａの前方域においてカード状表示部材８２を保持する保持溝ＤＨが形成されている。このプレート６Ａは実施の形態１と同様に、商品載置台２Ａにおけるステージ２１の下面に挿入される。そして、プレート６Ａの左右端部および後端に形成した係止孔６１Ａに前記ステージ２１Ａに形成した挿通孔（参照符号省略）を介してクランプＣＬを差し込むことによって２分割されたプレート６Ａが商品載置台２に一体化される。この場合、商品見本８１の冷温情報に応じて２分割されたプレート６Ａの色を、例えば図６の左側のプレート６Ａを寒色（青色）とし、右側のプレート６Ａを暖色（赤色）とすることにより商品の冷温状態を発光色により表示することができる、なお、プレート６Ａの外郭形状は、実施の形態１のプレート６と同様に、フレーム２５Ａの外縁に沿う態様でフレーム２５Ａとの間に隙間ＧＰ（図５参照）を形成しても良い。この場合、前記隙間ＧＰは塵埃等を落下させる抜き穴として機能する。
【００３７】
前記プレート６Ａに形成された保持溝ＤＨは、図８に示すように、前方に凸に湾曲した一条のスリットＤＨ１として形成されている。前記スリットＤＨ１のスリット幅はカード状表示部材８２（図６参照）の厚み寸法よりも比較的大きく形成されている一方、スリットＤＨ１の対向する内壁には互い違いに噛み合う鋸歯状の突起ＰＪが点在（この実施の形態２では３箇所）して形成されており、両者の突起ＰＪの先端の間に微小間隙（カード状表示部材８２より僅かに大きい間隙）が生じるように構成されている。前記突起ＰＪが形成された箇所（３箇所）は背面側に突出して形成されるとともにその底面が閉塞されている。つまり、保持溝ＤＨが有底の溝として形成されている。
【００３８】
この実施の形態２のディスプレイ台１Ａの組立ては、実施の形態１と同様に、まず、左右一対のブラケット３，３をディスプレイ室の中扉６０（図９参照）に取り付ける。次いで、中扉６０に固着された左右一対のブラケット３，３に対して商品載置台２Ａを、左右一対のブラケット３，３の上方から被せるように装着する。そして、商品載置台２Ａの左右側壁２２Ａ，２２Ａに内側に向けて突出する支持軸２２１Ａをブラケット３，３の異形溝３１に挿入して商品載置台２Ａとブラケット３，３とを一体化したうえで商品載置台２Ａを商品展示位置にセットする。
【００３９】
図６は前記商品載置台２Ａを商品展示位置にセットした状態を示している。図６からも分かるように、商品載置台２Ａのステージ２１Ａに形成された開口部２４Ａに商品見本８１（図１に示した商品見本８０の中空状の本体部を縦方向に半分に切断した半割り状の商品見本）を嵌合保持した場合、商品載置台２Ａのフレーム２５は商品見本８１に隠れて見えず、そして、前記商品載置台２Ａのステージ２１Ａにおける複数のフレーム２５Ａのそれぞれ前方域がフレーム２５Ａの前縁を残して切り落とされて開放（空白として形成）されていることから商品見本８１は空中に浮かんでいるように展示されるものである。また、商品載置台２Ａに組み付けられたプレート６Ａに形成した前方に凸に湾曲した一条の保持溝ＤＨにはカード状表示部材８２が装着される。この場合、保持溝ＤＨのスリット幅はカード状表示部材８２の厚みよりも比較的大きく形成されているのでカード状表示部材８２の装着が容易である一方、保持溝ＤＨの対向する内壁には互い違いに噛み合う鋸歯状の突起ＰＪ（図９参照）が形成されていることから、カード状表示部材８２は位置決めされて安定した起立姿勢に維持される。
【００４０】
ここで、保持溝ＤＨに鋸歯状の突起ＰＪを点在して形成したことにより次のような利点を有する。すなわち、カード状表示部材８２が熱膨張率の高いアクリル樹脂などからなるには外気温により伸縮し、特に太陽光の直射によって著しく伸長した際にもそのカード状表示部材８２の熱膨張に伴う伸縮を許容するのでカード状表示部材８２が変形することがない。この場合、保持溝ＤＨにおける円弧両端部と円弧中央部の３点にそれぞれ形成された鋸歯状の突起ＰＪのうち、円弧中央部のみ、或いは円弧両端部の突起ＰＪのいずれか一方のみ（例えば、右端側の突起ＰＪ）がシート状商品見本３１を把持し、残りの突起ＰＪについてカード状表示部材８２が起立姿勢を維持するように支えるものとするのが良い。このように、カード状表示部材８２の左右中央部のみ、或いは左右端部の一方のみを把持しておけば、カード状表示部材８２は左右方向、或いは左右他方方向に自由に伸縮することが可能となる。また、保持溝ＤＨの長さはカード状表示部材８２の伸縮を加味してカード状表示部材８２の横幅よりも長く形成されていることは言うまでもない。また、保持溝ＤＨに点在して形成された鋸歯状の突起ＰＪのうち、カード状表示部材８２を保持する部位の突起ＰＪに目印（例えば、矢印や凸記号）を付すとともにカード状表示部材８２の対応する箇所に目印（例えば、矢印や凹記号）を付し、当該目印を合致させてカード状表示部材８２を差し込むようにすることもできる。
【００４１】
なお、プレート６Ａに形成した保持溝ＤＨは一条の溝として説明したが、湾曲に沿って点在（例えば、突起ＰＪが形成された３箇所）するスリットとすることができ、この場合、カード状表示部材８２の下部にはスリットに対応する差込片が突出形成される。
【００４２】
前述した本発明の実施の形態２に係る自動販売機の商品見本展示装置によれば、本体キャビネット１０の前面を開閉する外扉２０に形成されたディスプレイ室５０内に配設され、複数の商品見本８１を展示する商品載置台２Ａおよび前記商品載置台２Ａを保持する左右一対のブラケット３，３からなるディスプレイ台１Ａを備えた自動販売機の商品見本展示装置において、ディスプレイ台１Ａを構成する商品載置台２Ａは、その上面のステージ２１Ａに商品見本８１を嵌合保持する嵌合部２４Ａを形成するフレーム２５Ａを備え、当該フレーム２５Ａの前方の開放された空間域を覆う光透過性材料からなるプレート６Ａを設け、当該プレート６Ａはフレーム２５Ａの前方域においてカード状表示部材８２を保持する保持溝ＤＨを有することにより、ディスプレイ台１Ａを構成する商品載置台２Ａの嵌合部２４Ａに商品見本８１を嵌合保持させた場合、前記嵌合部２４Ａを形成するフレーム２５Ａは商品見本８１に隠れてディスプレイ室５０内に露出することがない、つまり、利用者が商品見本８１を見て購入商品を選択する場合にも利用者の目に留まることがないので、従来のように商品載置台２Ａによって商品見本８１が霞んでしまうということを防止することができ、さらに、ディスプレイ台１Ａを構成する商品載置台２Ａは、その上面のステージ２１Ａに商品見本８１を嵌合保持する嵌合部２４Ａを形成するフレーム２５Ａを備え、当該フレーム２５Ａの前方の開放された空間域を覆う光透過性材料からなるプレート６Ａを設けるという、従来のディスプレイ台の商品載置台に対して僅かの設計変更のみで恰も商品見本８１が空中に浮かんでいるように展示することが可能である。さらに、前記プレート６Ａはフレーム２５Ａの前方域においてカード状表示部材８２を保持する保持溝ＤＨを有することにより、カード状表示部材８２、例えば、カード状の商品見本、カード状の訴求表示部材を装着することが可能であるという利点を有する。この場合、保持溝ＤＨは商品載置台２Ａのフレーム２５Ａの形状に左右されずにカード状表示部材８２に最適な保持溝として形成することができる。
【００４３】
なお、前記実施の形態１，２では商品見本８０，８１を嵌合保持する嵌合部２４，２４Ａを形成するフレーム２５，２５Ａが切れ目のない連続したものについて説明したが、フレーム２５，２５Ａは必ずしも連続したものではなく、切れ目を有するものでも良いものであり、前述した実施の形態によりこの発明が限定されるものではない。
【符号の説明】
【００４４】
１，１Ａ…ディスプレイ台、２，２Ａ…商品展示台、３…ブラケット、４…商品情報表示部材、５…ホルダー、６，６Ａ…プレート、２０…外扉、２１，２１Ａ…ステージ、２２，２２Ａ…側壁、２４，２４Ａ…嵌合部、２５，２５Ａ…フレーム、３１…異形溝、５０…ディスプレイ室、８０，８１…商品見本、８２…カード状表示部材、２１１…支持軸、ＧＰ…隙間、ＤＨ…保持溝、ＰＪ…突起。
【図１】
2014085850.tif 000003
【図２】
2014085850.tif 000004
【図３】
2014085850.tif 000005
【図４】
2014085850.tif 000006
【図５】
2014085850.tif 000007
【図６】
2014085850.tif 000008
【図７】
2014085850.tif 000009
【図８】
2014085850.tif 000010
【図９】
2014085850.tif 000011